(57)【要約】  本明細書において説明される態様は、一般的に、送信における待ち時間を低減するために、リソースの使用を最適化するようにワイヤレス通信におけるリソースプールを管理することに関係する。説明された態様は、ユーザ機器（ＵＥ）において、代替的リソースプール情報信号をネットワークエンティティから受信することと；ＵＥにおいて、代替的リソースプール情報信号に基づいて、第１の制御リソースを制御リソースプールの第１の周波数部分から選択することと；ＵＥにおいて、制御リソースプールの第１の周波数部分からの第１の制御リソースを送信することと；ＵＥにおいて、第１の制御リソースに基づいて、第２の制御リソースを制御リソースプールの第２の周波数部分から選択することと；ＵＥにおいて、制御リソースプールの第２の周波数部分からの第２の制御リソースを送信することとを含む。【選択図】図４
2018519744.tif 000002
【特許請求の範囲】
【請求項１】
ワイヤレス通信における制御リソースプールを管理するための方法であって、
ユーザ機器（ＵＥ）において、代替的リソースプール情報信号をネットワークエンティティから受信することと、ここにおいて、前記代替的リソースプール情報信号は、ワイヤレス通信の最中に送信のために使用される、前記制御リソースプールとデータリソースプールとを有するリソースプールの構成に対応する、
前記ＵＥにおいて、前記代替的リソースプール情報信号に基づいて、第１の制御リソースを前記制御リソースプールの第１の周波数部分から選択することと、
前記ＵＥにおいて、前記制御リソースプールの前記第１の周波数部分からの前記第１の制御リソースを送信することと、
前記ＵＥにおいて、前記第１の制御リソースに基づいて、第２の制御リソースを前記制御リソースプールの第２の周波数部分から選択することと、
前記ＵＥにおいて、前記制御リソースプールの前記第２の周波数部分からの前記第２の制御リソースを送信することとを備える方法。
【請求項２】
前記第２の制御リソースの前記送信後、前記データリソースプールからの１つ以上のデータリソースを送信することをさらに備える、請求項１の方法。
【請求項３】
１つ以上のデータリソースを復号化するための復号化情報が、前記制御リソースプールから取得される、請求項２の方法。
【請求項４】
前記第２の制御リソースに基づいて、前記１つ以上のデータリソースのためのタイミングオフセットを計算することをさらに備える、請求項２の方法。
【請求項５】
前記制御リソースプールおよび前記１つ以上のデータリソースは、インターリーブされたサブフレームと時分割多重化される（ＴＤＭされる）、請求項２の方法。
【請求項６】
前記制御リソースプールおよび前記１つ以上のデータリソースは、周波数分割多重化される（ＦＤＭされる）、請求項２の方法。
【請求項７】
前記ＵＥおよび前記ネットワークエンティティは、ロングタームエボリューション−ダイレクト（ＬＴＥ−Ｄ）ネットワークにおいて動作する、請求項１の方法。
【請求項８】
前記第１の周波数部分は、前記制御リソースプールの上部周波数部分に対応し、前記第２の周波数部分は、前記制御リソースプールの下部周波数部分に対応する、請求項１の方法。
【請求項９】
ワイヤレス通信における制御リソースプールを管理するための装置であって、
命令を記憶するように構成されたメモリと、
前記メモリと通信的に結合された１つ以上のプロセッサとを備え、
ここにおいて、前記１つ以上のプロセッサは、
ユーザ機器（ＵＥ）において、代替的リソースプール情報信号をネットワークエンティティから受信し、ここにおいて、前記代替的リソースプール情報信号は、ワイヤレス通信の最中に送信のために使用される、前記制御リソースプールとデータリソースプールとを有するリソースプールの構成に対応する、
前記代替的リソースプール情報信号に基づいて、第１の制御リソースを前記制御リソースプールの第１の周波数部分から選択し、
前記制御リソースプールの前記第１の周波数部分からの前記第１の制御リソースを送信し、
前記第１の制御リソースに基づいて、第２の制御リソースを前記制御リソースプールの第２の周波数部分から選択し、
前記制御リソースプールの前記第２の周波数部分からの前記第２の制御リソースを送信すべく、前記命令を実施するように構成される装置。
【請求項１０】
前記１つ以上のプロセッサが、前記第２の制御リソースの前記送信後、前記データリソースプールからの１つ以上のデータリソースを送信するようにさらに構成される、請求項９の装置。
【請求項１１】
前記１つ以上のデータリソースを復号化するための復号化情報が、前記制御リソースプールから取得される、請求項１０の装置。
【請求項１２】
前記１つ以上のプロセッサが、前記第２の制御リソースに基づいて、前記１つ以上のデータリソースのためのタイミングオフセットを計算するようにさらに構成される、請求項１０の装置。
【請求項１３】
前記制御リソースプールおよび前記１つ以上のデータリソースは、インターリーブされたサブフレームと時分割多重化される（ＴＤＭされる）、請求項１０の装置。
【請求項１４】
前記制御リソースプールおよび前記１つ以上のデータリソースは、周波数分割多重化される（ＦＤＭされる）、請求項１０の装置。
【請求項１５】
前記ＵＥおよび前記ネットワークエンティティは、ロングタームエボリューション−ダイレクト（ＬＴＥ−Ｄ）ネットワークにおいて動作する、請求項９の装置。
【請求項１６】
前記第１の周波数部分は、前記制御リソースプールの上部周波数部分に対応し、前記第２の周波数部分は、前記制御リソースプールの下部周波数部分に対応する、請求項９の装置。
【請求項１７】
ワイヤレス通信におけるリソースプールを管理するための方法であって、
ネットワークエンティティから、代替的リソースプール情報信号を１つ以上のユーザ機器（ＵＥ）に送信することと、ここにおいて、前記代替的リソースプール情報信号は、ワイヤレス通信の最中に、制御リソースおよびデータリソースを送信するためのリソースプールの構成に対応する、
前記ネットワークエンティティにおいて、１つ以上の信号を前記１つ以上のＵＥのうちの少なくとも１つから受信することと、ここにおいて、前記１つ以上の信号は、前記代替的リソースプール情報信号に基づいて修正された、制御リソースおよびデータリソースのうちの１つまたは両方に対応する、を備える方法。
【請求項１８】
前記制御リソースは、上部周波数部分および下部周波数部分を含む、請求項１７の方法。
【請求項１９】
前記上部周波数部分は、負の周波数部分であり、前記下部周波数部分は、正の周波数部分である、請求項１８の方法。
【請求項２０】
前記リソースプールの前記構成は、前記リソースプール内の繰り返しビットマップを使用してシグナリングされる、請求項１７の方法。
【請求項２１】
前記リソースプールの前記構成は、制御およびデータのオフセットのための複数の無線ベアラ（ＲＢ）を使用してシグナリングされる、請求項１７の方法。
【請求項２２】
前記制御リソースおよびデータリソースは、インターリーブされたサブフレームと時分割多重化される（ＴＤＭされる）、または、周波数分割多重化される（ＦＤＭされる）、のうちの少なくとも１つである、請求項１７の方法。
【請求項２３】
前記１つ以上のＵＥおよび前記ネットワークエンティティは、ロングタームエボリューション−ダイレクト（ＬＴＥ−Ｄ）ネットワークにおいて動作する、請求項１７の方法。
【請求項２４】
ワイヤレス通信におけるリソースプールを管理するための装置であって、
代替的リソースプール情報信号を１つ以上のユーザ機器（ＵＥ）に送信し、ここにおいて、前記代替的リソースプール情報信号は、ワイヤレス通信の最中に、制御リソースおよびデータリソースを送信するためのリソースプールの構成に対応する、
１つ以上の信号を前記１つ以上のＵＥのうちの少なくとも１つから受信する、ここにおいて、前記１つ以上の信号は、前記代替的リソースプール情報信号に基づいて修正された、制御リソースおよびデータリソースのうちの１つまたは両方に対応する、ように構成された通信コンポーネントを備える装置。
【請求項２５】
前記制御リソースは、上部周波数部分および下部周波数部分を含む、請求項２４の装置。
【請求項２６】
前記上部周波数部分は、負の周波数部分であり、前記下部周波数部分は、正の周波数部分である、請求項２５の装置。
【請求項２７】
前記リソースプールの前記構成は、前記リソースプール内の繰り返しビットマップを使用してシグナリングされる、請求項２４の装置。
【請求項２８】
前記リソースプールの前記構成は、制御およびデータのオフセットのための複数の無線ベアラ（ＲＢ）を使用してシグナリングされる、請求項２４の装置。
【請求項２９】
前記制御リソースおよびデータリソースは、インターリーブされたサブフレームと時分割多重化される（ＴＤＭされる）、または、周波数分割多重化される（ＦＤＭされる）、のうちの少なくとも１つである、請求項２４の装置。
【請求項３０】
前記１つ以上のＵＥおよび前記ネットワークエンティティは、ロングタームエボリューション−ダイレクト（ＬＴＥ−Ｄ）ネットワークにおいて動作する、請求項２４の装置。
【発明の詳細な説明】
【関連出願の相互参照】
【０００１】
[0001]本特許出願は、２０１６年６月３０日に出願された「ワイヤレス通信におけるリソースプールを管理するための技法」と題された米国非仮出願第１５／１９９，６４０号、および２０１５年７月２日に出願された「ワイヤレス通信におけるリソースプールを管理するための技法」と題された米国仮出願第６２／１８８，１９９号の優先権を主張し、これらは、ここでの譲受人に対して譲渡され、これにより参照によって本明細書に明示的に組み込まれる。
【背景】
【０００２】
[0002]本明細書において説明される態様は、一般的に通信システムに関係し、より具体的には、ワイヤレス通信におけるリソースプールを管理するための技法に関係する。
【０００３】
[0003]電話通信、映像、データ、メッセージング、ブロードキャストのような様々な電気通信サービスを提供するために、ワイヤレス通信システムが広く展開されている。典型的なワイヤレス通信システムは、利用可能なシステムリソース（例えば、帯域幅、送信電力）を共有することによって複数のユーザとの通信をサポートすることができる多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ（登録商標））システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスに、市区町村レベル、国レベル、地方レベルだけでなく、世界的なレベルでの通信を可能にさせる、共通のプロトコルを提供するために、様々な電気通信標準規格に採用されてきている。電気通信標準規格の一例は、ロングタームエボリューション（ＬＴＥ（登録商標））である。ＬＴＥは、第３世代パートナーシッププロジェクト（３ＧＰＰ（登録商標））によって公表された、ユニバーサルモバイル電気通信システム（ＵＭＴＳ）モバイル標準規格を向上させたもののセットである。ＬＴＥにおける最近の開発は、ビークル対ビークル（Ｖ２Ｖ）、ビークル対歩行者（Ｖ２Ｐ）、ビークル対インフラストラクチャ（Ｖ２Ｉ）、等通信（本明細書において集合的に「Ｖ２Ｘ」と称する）を含み、ここで、ビークルベースのユーザ機器（ＵＥ）は、ネットワークにおいて、通信リソースをスケジューリングするために、他のＵＥと直接的に、または基地局の助け無しに通信できる。例えば、ビークルベースのＵＥは、衝突警告を示すために、通信リソースを通し、ＬＴＥを介して、お互いにメッセージを直接的に通信でき、これはビークルにおける何らかの動作を生じさせられる。他の例において、ビークルベースのＵＥは、インフラストラクチャに、周期的状態報告を直接的に通信でき、これは他のネットワークエンティティ、等に報告され得る。
【０００５】
[0005]Ｖ２Ｘ通信を含むネットワークを含んでいるいくつかのワイヤレス通信ネットワークにおいて、利用可能な通信リソース、特に制御リソースの非効率的および／または非効果的な利用は、送信における待ち時間（latency）を招き得る。よって、リソースが管理されるような方法における改善が望まれる。
【概要】
【０００６】
[0006]下記は、１つ以上の態様の基本的な理解を提供するために、そのような態様の簡略化された概要を提示する。本概要は、全ての考慮された態様の広範な概観ではなく、全ての態様の鍵となる要素または重要な要素を識別することも、任意の態様または全ての態様の範囲を叙述することも意図されない。その唯一の目的は、後に提示されるより詳細な説明への前置きとして、簡略化された形態で１つ以上の態様のいくつかの概念を提示することである。
【０００７】
[0007]ある態様に従って、ワイヤレス通信における制御リソースプールを管理するための現在の方法が提示される。説明された態様は、ユーザ機器（ＵＥ）において、代替的リソースプール情報をネットワークエンティティから受信することを含み、ここにおいて、代替的リソースプール情報信号は、ワイヤレス通信の最中に送信のために使用される、制御リソースプールとデータリソースプールとを有するリソースプールの構成に対応する。説明された態様は、ＵＥにおいて、代替的リソースプール情報に基づいて、第１の制御リソースを制御リソースプールの第１の周波数部分から選択することをさらに含む。説明された態様は、ＵＥにおいて、制御リソースプールの第１の周波数部分からの第１の制御リソースを送信することをさらに含む。説明された態様は、ＵＥにおいて、第１の制御リソースに基づいて、第２の制御リソースを制御リソースプールの第２の周波数部分から選択することをさらに含む。説明された態様は、ＵＥにおいて、制御リソースプールの第２の周波数部分からの第２の制御リソースを送信することをさらに含む。
【０００８】
[0008]別の態様において、ワイヤレス通信における制御リソースプールを管理するための現在の装置は、命令を記憶するように構成されたメモリ、およびメモリに通信的に結合された１つ以上のプロセッサを含み得、ここにおいて、１つ以上のプロセッサおよびメモリは、ＵＥにおいて、ネットワークエンティティから代替的リソースプール情報を受信するように構成されており、ここにおいて、代替的リソースプール情報信号は、ワイヤレス通信の最中に送信のために使用される、制御リソースプールとデータリソースプールとを有するリソースプールの構成に対応する。説明された態様は、ＵＥにおいて、代替的リソースプール情報に基づいて、第１の制御リソースを制御リソースプールの第１の周波数部分からさらに選択する。説明された態様は、ＵＥにおいて、制御リソースプールの第１の周波数部分からの第１の制御リソースをさらに送信する。説明された態様は、ＵＥにおいて、第１の制御リソースに基づいて、第２の制御リソースを制御リソースプールの第２の周波数部分からさらに選択する。説明された態様は、ＵＥにおいて、制御リソースプールの第２の周波数部分からの第２の制御リソースをさらに送信する。
【０００９】
[0009]別の態様において、現在のコンピュータ可読媒体は、ワイヤレス通信における制御リソースプールを管理するためのコンピュータ実施可能なコードを記憶し得る。説明された態様は、ＵＥにおいて、代替的リソースプール情報をネットワークエンティティから受信するためのコードを含み、ここにおいて、代替的リソースプール情報信号は、ワイヤレス通信の最中に送信のために使用される、制御リソースプールとデータリソースプールとを有するリソースプールの構成に対応する。説明された態様は、ＵＥにおいて、代替的リソースプール情報に基づいて、第１の制御リソースを制御リソースプールの第１の周波数部分から選択するためのコードをさらに含む。説明された態様は、ＵＥにおいて、制御リソースプールの第１の周波数部分からの第１の制御リソースを送信するためのコードをさらに含む。説明された態様は、ＵＥにおいて、第１の制御リソースに基づいて、第２の制御リソースを制御リソースプールの第２の周波数部分から選択するためのコードをさらに含む。説明された態様は、ＵＥにおいて、制御リソースプールの第２の周波数部分からの第２の制御リソースを送信するためのコードをさらに含む。
【００１０】
[0010]別の態様において、ワイヤレス通信における制御リソースプールを管理するための現在の装置は、ＵＥにおいて、代替的リソースプール情報をネットワークエンティティから受信するための手段を含み得、ここにおいて、代替的リソースプール情報信号は、ワイヤレス通信の最中に送信のために使用される、制御リソースプールとデータリソースプールとを有するリソースプールの構成に対応する。説明された態様は、ＵＥにおいて、代替的リソースプール情報に基づいて、第１の制御リソースを制御リソースプールの第１の周波数部分から選択するための手段をさらに含む。説明された態様は、ＵＥにおいて、制御リソースプールの第１の周波数部分からの第１の制御リソースを送信するための手段をさらに含む。説明された態様は、ＵＥにおいて、第１の制御リソースに基づいて、第２の制御リソースを制御リソースプールの第２の周波数部分から選択するための手段をさらに含む。説明された態様は、ＵＥにおいて、制御リソースプールの第２の周波数部分からの第２の制御リソースを送信するための手段をさらに含む。
【００１１】
[0011]別の態様に従って、ワイヤレス通信におけるリソースプールを管理するための現在の方法が提供される。説明された態様は、ネットワークエンティティから１つ以上のＵＥに代替的リソースプール情報を送信することを含み得、ここにおいて、代替的リソースプール情報は、ワイヤレス通信の最中に、制御リソースおよびデータリソースを送信するためのリソースプールの構成に対応し得る。説明された態様は、ネットワークエンティティにおいて、１つ以上のＵＥから１つ以上の信号をさらに受信することを含み、ここにおいて、１つ以上の信号は、代替的リソースプール情報に基づいて修正された、制御リソースおよびデータリソースのうちの少なくとも１つまたは両方に対応する。
【００１２】
[0012]別の態様において、ワイヤレス通信における制御リソースプールを管理するための現在の装置は、命令を記憶するように構成されたメモリを含み得、１つ以上のプロセッサが、メモリと通信的に結合され、ここにおいて、１つ以上のプロセッサおよびメモリは、ネットワークエンティティから１つ以上のＵＥに代替的リソースプール情報を送信するように構成され、ここにおいて、代替的リソースプール情報は、ワイヤレス通信の最中に、制御リソースおよびデータリソースを送信するためのリソースプールの構成に対応し得る。説明された態様は、ネットワークエンティティにおいて、１つ以上のＵＥから１つ以上の信号をさらに受信し、ここにおいて、１つ以上の信号は、代替的リソースプール情報に基づいて修正された、制御リソースおよびデータリソースのうちの少なくとも１つまたは両方に対応する。
【００１３】
[0013]別の態様において、現在のコンピュータ可読媒体は、ワイヤレス通信における制御リソースプールを管理するためのコンピュータ実施可能なコードを記憶し得る。説明された態様は、ネットワークエンティティから１つ以上のＵＥに代替的リソースプール情報を送信するためのコードを含み得、ここにおいて、代替的リソースプール情報は、ワイヤレス通信の最中に、制御リソースおよびデータリソースを送信するためのリソースプールの構成に対応し得る。説明された態様は、ネットワークエンティティにおいて、１つ以上のＵＥから１つ以上の信号を受信するためのコードをさらに含み、ここにおいて、１つ以上の信号は、代替的リソースプール情報に基づいて修正された、制御リソースおよびデータリソースのうちの少なくとも１つまたは両方に対応する。
【００１４】
[0014]別の態様において、ワイヤレス通信における制御リソースプールを管理するための現在の装置は、ネットワークエンティティから１つ以上のＵＥに代替的リソースプール情報を送信するための手段を含み得、ここにおいて、代替的リソースプール情報は、ワイヤレス通信の最中に、制御リソースおよびデータリソースを送信するためのリソースプールの構成に対応し得る。説明された態様は、ネットワークエンティティにおいて、１つ以上のＵＥから１つ以上の信号を受信するための手段をさらに含み、ここにおいて、１つ以上の信号は、代替的リソースプール情報に基づいて修正された、制御リソースおよびデータリソースのうちの少なくとも１つまたは両方に対応する。
【００１５】
[0015]上述した目的および関連する目的の達成のために、１つ以上の態様は、後に十分に説明され、特許請求の範囲中で特に指摘される特徴を備える。以下の説明および付属の図面は、１つ以上の態様の、ある例証的な特徴を詳細に記載する。これらの特徴は、しかしながら、様々な態様の原理が採用され得る様々な手法のほんの一部を示しており、この説明は、全てのそのような態様およびそれらの同等物を含むように意図される。
【図面の簡単な説明】
【００１６】
[0016]添付の図面は、本開示の様々な態様の説明を助けるために提示され、これらの態様の限定としてではなくその例証のためだけに提供される。図面は、類似の要素に対して類似の参照番号を含み、選択的コンポーネントまたは動作は、ダッシュ線で表示し得る。
【図１】[0017]図１は、本明細書において説明される態様に従う、電気通信システムの例を概念的に例証するブロック図を指し示す。
【図２】[0018]図２は、アクセスネットワークの例を例証する図である。
【図３】[0019]図３は、アクセスネットワークにおける発展型ノードＢおよびユーザ機器の例を例証する図である。
【図４】[0020]図４は、本明細書において説明される態様に従う、例となるシステムを例証する図である。
【図５Ａ】[0021]図５Ａは、本明細書において説明される態様に従う、例となるリソースプール構成を例証する概念図である。
【図５Ｂ】図５Ｂは、本明細書において説明される態様に従う、例となるリソースプール構成を例証する概念図である。
【図６】[0022]図６は、本明細書において説明される態様に従う、ワイヤレス通信においてＵＥにおける制御リソースプールを管理するための方法のフローチャートである。
【図７】[0023]図７は、本明細書において説明される態様に従う、ワイヤレス通信において基地局における制御リソースプールを管理するための方法のフローチャートである。
【図８】[0024]図８は、本開示の様々な態様に従う、通信コンポーネントを含む例示的な装置中の異なる手段／コンポーネント間のデータフローを例証する概念的データフロー図である。
【図９】[0025]図９は、本開示の様々な態様に従う、通信コンポーネントを含む処理システムを採用する装置のためのハードウェア実装の例を例証する図である。
【図１０】[0026]図１０は、本開示の様々な態様に従う、通信コンポーネントを含む例示的な装置中の異なる手段／コンポーネント間のデータフローを例証する概念的データフロー図である。
【図１１】[0027]図１１は、本開示の様々な態様に従う、通信コンポーネントを含む処理システムを採用する装置のためのハードウェア実装の例を例証する図である。
【詳細な説明】
【００１７】
[0028]添付の図面に関連して以下に述べられる詳細な説明は、様々な構成の説明を意図したものであり、本明細書において説明される概念が実現され得る、唯一の構成を表示することを意図したものではない。詳細な説明は、様々な概念の完全な理解を提供するための具体的な詳細を含む。しかしながら、これらの概念がこれらの具体的な詳細無しに実現され得ることは当業者にとって明らかであろう。いくつかの事例において、周知のコンポーネントが、そのような概念を曖昧にすることを避けるためにブロック図の形態で指し示されている。
【００１８】
[0029]ここでは、電気通信システムのいくつかの態様が、様々な装置および方法に関連して提示される。これらの装置および方法は、以下の詳細な説明において説明され、添付の図面において、様々なブロック、モジュール、コンポーネント、回路、ステップ、プロセス、アルゴリズム、等（集合的に「エレメント」と称する）により例証されている。これらのエレメントは、電子ハードウェア、コンピュータソフトウェア、またはこれらの任意の組み合わせを使用して実装され得る。そのようなエレメントがハードウェアとして実装されるかソフトウェアとして実装されるかは、システム全体に課された特定の用途および設計の制約に依存する。
【００１９】
[0030]例として、エレメント、またはエレメントの任意の一部、またはエレメントの任意の組み合わせは、１つ以上のプロセッサを含む「処理システム」で実装され得る。プロセッサの例は、本開示を通して説明される様々な機能を実行するように構成された、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、状態機械、ゲートロジック、ディスクリートハードウェア回路、および他の適切なハードウェアを含む。処理システムにおける１つ以上のプロセッサは、ソフトウェアを実施し得る。ソフトウェアは、ソフトウェア、ファームウェア、ミドルウェア、マイクロコード、ハードウェア記述言語、またはそれ以外の名称で称されようとも、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実施ファイル、実施スレッド、プロシージャ、関数、等を意味するものと広く解釈されるべきである。
【００２０】
[0031]従って、１つ以上の態様において、説明された機能は、ハードウェア、ソフトウェア、ファームウェア、またはこれらの任意の組合せで実装され得る。ソフトウェアで実装される場合、これらの機能は、コンピュータ可読媒体上に、１つ以上の命令またはコードとして記憶されるか、あるいは１つ以上の命令またはコードとして符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶装置、または、命令またはデータ構造の形態で所望のプログラムコードを搬送または記憶するために使用されることができ、およびコンピュータによってアクセスされることができる、任意の他の媒体を備えることができる。本明細書において使用される、ディスク（Disk）およびディスク（disc）は、コンパクトディスク（ＣＤ）、レーザーディスク（登録商標）、光ディスク、デジタル多用途ディスク（ＤＶＤ）、並びにフロッピー（登録商標）ディスクを含み、ディスク（disk）は通常、データを磁気的に再生し、ディスク（disc）は、データをレーザで光学的に再生する。上記のものを組み合わせたものもまた、コンピュータ可読媒体の範囲内に含まれるべきである。
【００２１】
[0032]本明細書において説明されたものは、（本明細書において集合的に「Ｖ２Ｘ」と称する）ＬＴＥ−ダイレクト（ＬＴＥ−Ｄ）通信ネットワークにおけるビークル対ビークル（Ｖ２Ｖ）、ビークル対歩行者（Ｖ２Ｐ）、ビークル対インフラストラクチャ（Ｖ２Ｉ）、等通信のためのリソースプールを管理することに関係する様々な態様である。例えば、２つのビークルが通信しているＶ２Ｖシナリオ（例えば、２つのＵＥ）において、送信ＵＥは、宛先グループ識別子（ＩＤ）に、データの変調および符号化スキーム（ＭＣＳ）に、および／またはデータによって使用される時間周波数リソースに、関する情報を包含する、制御リソースプール中の制御情報を先ず送信し得る。さらに、ある態様において、Ｖ２Ｖシナリオにおける受信ＵＥは、制御パケットについて、リスンし、任意の受信した制御パケットが成功裏に復号された際、受信ＵＥが制御パケット中で送信された宛先グループ識別子ＩＤに属するかを決定する。ＵＥが、宛先グループＩＤのメンバーであると決定されると、ＵＥは、制御パケット中に示されたリソース上のデータの復号を進め得る。しかしながら、４０ｍｓの制御リソースプールに対する最小限の周期性を仮定すると、これは、ＵＥが送信するデータを有するときから実際の送信までに、少なくとも４０ｍｓの（ワーストケース）待ち時間をもたらす。付加的に、Ｖ２Ｖアプリケーションのようなアプリケーションについて、待ち時間を減らすべき動機付けが存在する。
【００２２】
[0033]従って、いくつかの態様において、本方法および装置は、制御およびデータのリソースを送信するためのリソースプールの構成を修正することによって、現在の解決策に比べ効率的な解決策を提供し得る。言い換えれば、現在の態様において、ネットワークエンティティは、ＵＥがＵＥのそれぞれの制御およびデータの送信スキームを修正するように、代替的リソースプール情報信号を１つ以上のＵＥに送信し得る。例えば、代替的リソースプール情報は、例えば、制御およびデータのリソースが時分割多重化、ただし待ち時間を減らすためにインターリーブされたサブフレームと時分割多重化されている、および／または制御およびデータのリソースが、周波数多重化されている、といったリソースプールのための代替的構成を示し得る。そのようであるので、本態様は、ＵＥにおいて、代替的リソースプール情報をネットワークエンティティから受信し、ここにおいて、代替的リソースプール情報信号は、ワイヤレス通信の最中に送信のために使用される、制御リソースプールとデータリソースプールとを有するリソースプールの構成に対応する；ＵＥにおいて、代替的リソースプール情報に基づいて、第１の制御リソースを制御リソースプールの第１の周波数部分から選択し、；ＵＥにおいて、制御リソースプールの第１の周波数部分からの第１の制御リソースを送信し、；ＵＥにおいて、第１の制御リソースに基づいて、第２の制御リソースを制御リソースプールの第２の周波数部分から選択し、；ＵＥにおいて、制御リソースプールの第２の周波数部分からの第２の制御リソースを送信するための１つ以上のメカニズムを提供する。さらにまた、本態様は、代替的リソースプール情報をネットワークエンティティから１つ以上のＵＥに送信し、ここにおいて、代替的リソースプール情報は、ワイヤレス通信の最中に、制御リソースおよびデータリソースを送信するためのリソースプールの構成に対応する；ネットワークエンティティにおいて、１つ以上の信号を１つ以上のＵＥから受信する、ここにおいて、１つ以上の信号は、代替的リソースプール情報に基づいて修正された、制御リソースおよびデータリソースのうちの少なくとも１つまたは両方に対応する、；ための１つ以上の他のメカニズムを提供する。ある態様において、Ｖ２Ｘ通信について、ビークルは、代替的リソースプール情報を受信するＵＥを含み得る、またはＵＥに関連付けられ得る。
【００２３】
[0034]Ｖ２Ｘ通信の見地から説明されたが、リソースプールを最適化することに関して以下に説明される概念は、１つ以上の個別のメッセージを通信することについて、基地局または他のネットワークエンティティによる、より正確なリソース割り振りを行うためのメッセージに関する追加の情報を提供することを容易にするために、実質的に任意のメッセージベース通信のタイプに適用できることが認識されるべきである。
【００２４】
[0035]先ず図１を参照すると、図は、本明細書において説明される態様に従う、ワイヤレス通信システム１００の例を例証する。ワイヤレス通信システム１００は、複数の基地局（例えば、ｅＮＢ、ＷＬＡＮアクセスポイントまたは他のアクセスポイント）１０５、複数のユーザ機器（ＵＥ）１１５、およびコアネットワーク１３０を含む。１つ以上のＵＥ１１５は、代替的リソースプール情報信号を受信し、信号中に含まれる代替的リソースプール情報に基づいて、制御リソースおよびデータリソースを送信するように構成された通信コンポーネント４６１（例えば、図４参照）を含み得る。同様に、１つ以上の基地局１０５は、制御およびデータのリソースの構成を修正するために、１つ以上の代替的リソースプール情報信号を確立して、１つ以上のＵＥ１１５に送信するように構成された通信コンポーネント４０２（例えば、図４参照）を含み得る。
【００２５】
[0036]例えば、ＵＥ１１５は、Ｖ２Ｘ通信（例えば、ＬＴＥダイレクトすなわちＬＴＥ−Ｄのようなデバイス対デバイス通信のために定義されたＬＴＥ無線アクセス技術に基づく）Ｖ２Ｘ通信を使用して通信するビークルベースのＵＥを含み得る。従って、例えば、ＵＥ１１５は、ダイレクトメッセージベース通信を使用して（例えば、リソースをスケジューリングするために基地局１０５の助けを使ったり使わなかったりして）お互いに通信し得る。いくつかの基地局１０５は、（示されていない）基地局コントローラの制御下でＵＥ１１５と通信し得、基地局コントローラは、様々な例においてコアネットワーク１３０またはある基地局１０５（例えば、ｅＮＢ）の一部であり得る。基地局１０５は、バックホールリンク１３２を通してコアネットワーク１３０と制御情報および／またはユーザデータを通信し得る。例において、基地局１０５は、直接的または間接的に、バックホールリンク１３４上で互いに通信し得、それは、有線またはワイヤレス通信リンクであり得る。ワイヤレス通信システム１００は、複数のキャリア（異なる周波数の波形信号）上の動作をサポートし得る。マルチキャリア送信機は、複数のキャリア上で同時に変調された信号を送信することができる。例えば、各通信リンク１２５は、上述された様々な無線技術に従って変調されたマルチキャリア信号であり得る。各変調された信号は、異なるキャリア上で送られることがあり得、制御情報（例えば、参照信号、制御チャネル、等）、オーバーヘッド情報、データ、等を搬送し得る。
【００２６】
[0037]基地局１０５は、１つ以上の基地局アンテナを介してＵＥ１１５とワイヤレスで通信し得る。基地局１０５の位置の各々は、それぞれのカバレッジエリア１１０に通信カバレッジを提供し得る。いくつかの例において、基地局１０５は、基地トランシーバ局、無線基地局、無線トランシーバ、基本サービスセット（ＢＳＳ）、拡張型サービスセット（ＥＳＳ）、ノードＢ、ｅノードＢ（ｅＮＢ）、ホームノードＢ、ホームｅノードＢ、またはいくつかの他の適切な技術用語で称され得る。基地局に対するカバレッジエリア１１０は、（示されていない）カバレッジエリアの一部のみを構成するセクタに分割され得る。ワイヤレス通信システム１００は、異なるタイプの基地局１０５（例えば、マクロ、マイクロ、および／またはピコ基地局）を含み得る。基地局１０５はまた、セルラおよび／またはＷＬＡＮ無線アクセス技術（ＲＡＴ）のような異なる無線技術を利用し得る。基地局１０５は、同じまたは異なるアクセスネットワークあるいはオペレータ展開に関連付けられ得る。同じまたは異なるタイプの基地局１０５のカバレッジエリアを含み、同じまたは異なる無線技術を利用し、および／または、同じまたは異なるアクセスネットワークに属する異なる基地局１０５のカバレッジエリアは、重複し得る。
【００２７】
[0038]ＬＴＥ／ＬＴＥ−アドバンスド（ＬＴＥ−Ａ）において、例えば、用語、発展型ノードＢ（ｅノードＢまたはｅＮＢ）が、基地局１０５を説明するために一般的に使用され得る。ワイヤレス通信システム１００は、異なるタイプのアクセスポイントが様々な地理的領域に対してカバレッジを提供する異機種ＬＴＥ／ＬＴＥ−Ａネットワークであり得る。例えば、各基地局１０５は、マクロセル、ピコセル、フェムトセル、および／または他のタイプのセルのために通信カバレッジを提供し得る。ピコセル、フェムトセルのような小さなセル、および／または他のタイプのセルは、低電力ノードすなわちＬＰＮを含み得る。マクロセルは一般的に、相対的に広い地理的エリア（例えば、半径数キロメートル）をカバーし、ネットワークプロバイダにサービス加入しているＵＥ１１５による無制限のアクセスを可能にし得る。スモールセルは、一般的に相対的により狭い地理的エリアをカバーすることになり、例えば、ネットワークプロバイダにサービス加入しているＵＥ１１５による無制限のアクセスを可能にし得、そして無制限のアクセスに加えて、このスモールセルと関連のあるＵＥ１１５（例えば、クローズド加入者グループ（ＣＳＧ）中のＵＥ、家の中にいるユーザに関するＵＥ、およびそのようなもの）による制限付のアクセスも提供し得る。マクロセルのためのｅＮＢは、マクロｅＮＢと称され得る。スモールセルのためのｅＮＢは、スモールセルｅＮＢと称され得る。ｅＮＢは、１つまたは複数の（例えば、２つ、３つ、４つ、およびそのような）セルをサポートし得る。
【００２８】
[0039]コアネットワーク１３０は、バックホールリンク１３２（例えば、Ｓ１インターフェース、等）を介してｅＮＢまたは他の基地局１０５と通信し得る。基地局１０５はまた、例えば、バックホールリンク１３４（例えば、Ｘ２インターフェース、等）を介して直接的または間接的に、および／またはバックホールリンク１３２を介して（例えば、コアネットワーク１３０を通して）互いに通信し得る。ワイヤレス通信システム１００は、同期または非同期動作をサポートし得る。同期動作について、基地局１０５は、同様のフレームタイミングを有し得、異なる基地局１０５からの伝送が時間的にほぼ整列され得る。非同期動作について、基地局１０５は、異なるフレームタイミングを有し得、異なる基地局１０５からの伝送は時間的に整列されなくてもよい。本明細書において説明される技法は、同期または非同期動作のいずれかのために使用され得る。
【００２９】
[0040]ＵＥ１１５は、ワイヤレス通信システム１００全体にわたって分散されており、各ＵＥ１１５は、固定式または移動式であり得る。ＵＥ１１５はまた、当業者によって、移動局、加入者局、移動ユニット、加入者ユニット、ワイヤレスユニット、遠隔ユニット、移動デバイス、ワイヤレスデバイス、ワイヤレス通信デバイス、遠隔デバイス、移動加入者局、アクセス端末、移動端末、ワイヤレス端末、遠隔端末、ハンドセット、ユーザエージェント、移動クライアント、クライアント、または何らかの他の適切な専門用語で称され得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、腕時計またはメガネのようなウェアラブルアイテム、ワイヤレスローカルループ（ＷＬＬ）局、ビークルベースＵＥ、またはそのようなものであり得る。ＵＥ１１５は、マクロｅノードＢ、スモールセルｅノードＢ、リレー、およびそのようなものと通信することが可能であり得る。ＵＥ１１５はまた、セルラまたは他のＷＷＡＮアクセスネットワーク、あるいはＷＬＡＮアクセスネットワークのような異なるアクセスネットワーク上で通信することが可能であり得る。
【００３０】
[0041]ワイヤレス通信システム１００において指し示される通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信はまた、順方向リンク送信と呼ばれることがあり得、一方、アップリンク送信はまた、逆方向リンク送信と呼ばれ得る。ＵＥ１１５は、例えば、多入力多出力（ＭＩＭＯ）、キャリアアグリゲーション（ＣＡ）、多地点協調（ＣｏＭＰ）、複数接続、または他のスキームを通して、複数の基地局１０５と共同して通信するように構成され得る。ＭＩＭＯ技法は、複数のデータストリームを送信するために、基地局１０５上で複数のアンテナを、および／またはＵＥ上で複数のアンテナを使用する。
【００３１】
[0042]図２は、ＬＴＥネットワークアーキテクチャにおけるアクセスネットワーク２００の例を例証する図である。この例において、アクセスネットワーク２００は、多数のセルラ領域（セル）２０２に分割されている。１つ以上のより低い電力クラス基地局２０８は、１つ以上のセル２０２と重複するセルラ領域２１０を有し得る。より低い電力クラス基地局２０８は、フェムトセル（例えば、ホームｅＮＢ（ＨｅＮＢ））、ピコセル、マイクロセル、または遠隔無線ヘッド（ＲＲＨ）であり得る。マクロ基地局２０４は、それぞれのセル２０２に各々割り当てられ、セル２０２中の全てのＵＥ２０６のために、コアネットワーク１３０にアクセスポイントを提供するように構成される。説明されるように、ＵＥ２０６は、Ｖ２Ｘまたは他のメッセージベース通信技術を使用して通信しているビークルベースＵＥであり得る。
【００３２】
[0043]ある態様において、１つ以上のＵＥ２０６は、少なくとも複数のメッセージ、および／または１つ以上のＵＥ２０６にリソースを割り振ることを容易化するためのメッセージのサイズを示すＢＳＲを生成するように構成された通信コンポーネント４６１（例えば、図４参照）を含み得る。同様に、１つ以上の基地局２０４／２０８は、制御およびデータのリソースの構成を修正するように、１つ以上の代替的リソースプール情報信号を確立し、１つ以上のＵＥ２０６に送信するように構成された通信コンポーネント４０２（例えば、図４参照）を含み得る。アクセスネットワーク２００のこの例には集中コントローラが存在しないが、代替の構成では、集中コントローラが使用され得る。基地局２０４は、無線ベアラ制御、アドミッション制御、モビリティ制御、スケジューリング、セキュリティ、およびコアネットワーク１３０の１つ以上のコンポーネントへの接続性を含む、全ての無線関連の機能を担う。
【００３３】
[0044]アクセスネットワーク２００によって採用される変調および多元接続スキームは、展開されている特定の電気通信標準規格に依存して変動し得る。ＬＴＥの応用例において、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用され得る。以下の詳細な説明から当業者が容易に理解するように、本明細書において提示される様々な概念は、ＬＴＥの応用例によく適している。しかしながら、これらの概念は、その他の変調および多元接続技法を採用した他の電気通信標準規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００ファミリー標準規格の一部として、３世代パートナーシッププロジェクト２（３ＧＰＰ２）によって公表されたエアインターフェース標準規格であり、移動局にブロードバンドインターネットアクセスを提供するためにＣＤＭＡを採用する。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを採用する移動体通信のための全世界システム（ＧＳＭ（登録商標））、ＯＦＤＭＡを採用する、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびフラッシュＯＦＤＭに拡張されることもあり得る。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ２０００およびＵＭＢは、３ＧＰＰ２の組織からの文書において説明されている。採用される実際のワイヤレス通信標準規格および多元接続技術は、システムに課された特定の用途および全体的な設計の制約に依存するであろう。
【００３４】
[0045]基地局２０４は、ＭＩＭＯ技術をサポートする複数のアンテナを有し得る。ＭＩＭＯ技術の使用は、基地局２０４に、空間領域を利用して、空間多重化、ビームフォーミング、および送信ダイバーシティをサポートすることを可能にする。空間多重化は、同じ周波数上で同時にデータの異なるストリームを送信するために使用され得る。それらのデータストリームは、データレートを増加するために単一のＵＥ２０６に、または、全システム容量を増加させるために複数のＵＥ２０６に、送信され得る。これは各データストリームを空間的にプリコーディングし（すなわち、振幅および位相のスケーリングを適用し）、その後、ＤＬ上の複数の送信アンテナを通してそれぞれの空間的にプリコーディングされたストリームを送信することによって達成される。空間的にプリコーディングされたデータストリームは、異なる空間シグネチャとともにＵＥ２０６へと到達し、それは、ＵＥ２０６の各々に、そのＵＥ２０６に宛てられた１つ以上のデータストリームを復元することを可能にさせる。ＵＬ上において、各ＵＥ２０６は、空間的にプリコーディングされたデータストリームを送信し、それは、基地局２０４に、空間的にプリコーディングされた各データストリームのソースを識別することを可能にさせる。
【００３５】
[0046］空間多重化は一般的に、チャネル状況が良好なときに使用される。チャネル状況がさほど良好でないときには、ビームフォーミングが使用され、１つ以上の方向に送信エネルギーを集中させ得る。これは、複数のアンテナを通しての送信のためにデータを空間的にプリコーディングすることによって、達成され得る。セルの端において優れたカバレッジを達成するために、単一ストリームのビームフォーミング伝送が送信ダイバーシティと組み合わせて使用され得る。
【００３６】
[0047]以下の詳細な説明において、アクセスネットワークの様々な態様が、ＤＬ上でＯＦＤＭをサポートするＭＩＭＯシステムに関連して説明されるであろう。ＯＦＤＭは、ＯＦＤＭシンボル内の多数のサブキャリアにわたってデータを変調する拡散スペクトル技法である。サブキャリアは、正確な周波数で間隔が空けられている。この間隔は、サブキャリアからのデータの復元を受信機に可能にさせる、「直交性」を提供する。時間領域において、ＯＦＤＭシンボル間干渉を抑制するために、各ＯＦＤＭシンボルにガードインターバル（例えば、サイクリックプリフィクス）が追加され得る。ＵＬは、ピーク対平均電力比（ＰＡＰＲ）を補償するために、ＤＦＴ拡散ＯＦＤＭ信号の形態でＳＣ−ＦＤＭＡを使用し得る。
【００３７】
[0048]図３は、アクセスネットワークにおいてＵＥ３５０と通信中である基地局３１０のブロック図である。ＤＬにおいて、コアネットワークから、上位レイヤのパケットが、コントローラ／プロセッサ３７５に提供される。コントローラ／プロセッサ３７５は、Ｌ２レイヤの機能を実装する。ＤＬにおいて、コントローラ／プロセッサ３７５は、ヘッダの圧縮、暗号化、パケットのセグメンテーションおよび並び替え、論理チャネルとトランスポートチャネルとの間での多重化、様々な優先順位メトリックに基づいたＵＥ３５０に対する無線リソースの割り振りを提供する。コントローラ／プロセッサ３７５はまた、ＨＡＲＱ演算、損失パケットの再送、ＵＥ３５０へのシグナリングに対する責任を担う。
【００３８】
[0049]送信（ＴＸ）プロセッサ３１６は、Ｌ１レイヤ（すなわち、物理レイヤ）のための様々な信号処理機能を実装する。これらの信号処理機能は、ＵＥ３５０における前方誤り訂正（ＦＥＣ）を容易にするように符号化およびインターリーブすることと、様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて、信号コンステレーションにマッピングすることとを含む。符号化された、ならびに変調されたシンボルは、その後パラレルストリームに分けられる。各ストリームは、その後ＯＦＤＭサブキャリアにマッピングされ、時間領域および／または周波数領域において基準信号（例えば、パイロット）とともに多重化され、そして、逆高速フーリエ変換（ＩＦＦＴ）を使用してともに合成され、時間領域のＯＦＤＭシンボルストリームを搬送する物理チャネルが生成される。ＯＦＤＭストリームは、複数の空間ストリームを生成するために空間的にプリコーディングされる。チャネルエスティメータ３７４からのチャネル推定値は、符号化および変調スキームの決定だけでなく、空間処理のために使用され得る。チャネル推定値は、ＵＥ３５０によって送信された基準信号および／またはチャネル状況のフィードバックから導出され得る。各空間ストリームは、その後別個の送信機３１８ＴＸを介して異なるアンテナ３２０に提供される。各送信機３１８ＴＸは、ＲＦキャリアを送信のためのそれぞれの空間ストリームを用いて変調する。加えて、基地局３１０は、制御およびデータのリソースの構成を修正するために、１つ以上の代替的リソースプール情報信号を確立して、１つ以上のＵＥ３５０に送信するように構成された通信コンポーネント４０２（例えば、図４参照）を含み得る。通信コンポーネント４０２は、コントローラ／プロセッサ３７５に結合されるように指し示されるが、本明細書において説明される動作を実行するために、通信コンポーネント４０２はまた、他のプロセッサ（例えば、ＲＸプロセッサ３７０、ＴＸプロセッサ３１６、等）に結合され、および／または１つ以上のプロセッサ３１６、３７０、３７５によって実装されることができることが認識されるべきである。さらにまた、例えば、通信コンポーネント４０２は、プロセッサ３１６、３７０、および／または３７５を含み、しかしそれらに限定されない任意の１つ以上のプロセッサによって実装され得る。同様に、通信コンポーネント４６１は、プロセッサ３５６、３５９、および／または３６８を含み、しかしそれらに限定されない任意の１つ以上のプロセッサによって実装され得る。
【００３９】
[0050]ＵＥ３５０において、各受信機３５４ＲＸは、そのそれぞれのアンテナ３５２を通して信号を受信する。各受信機３５４ＲＸは、ＲＦキャリア上で変調された情報を復元し、受信（ＲＸ）プロセッサ３５６にその情報を提供する。ＲＸプロセッサ３５６は、Ｌ１レイヤの様々な信号処理機能を実装する。ＲＸプロセッサ３５６は、ＵＥ３５０に宛てられた任意の空間ストリームを復元するために、その情報に対し空間処理を実行する。複数の空間ストリームがＵＥ３５０に宛てられている場合、それらは、ＲＸプロセッサ３５６によって単一のＯＦＤＭシンボルストリームに組み合わされ得る。ＲＸプロセッサ３５６は、その後高速フーリエ変換（ＦＦＴ）を使用して、そのＯＦＤＭシンボルストリームを時間領域から周波数領域へと変換する。周波数領域の信号は、ＯＦＤＭ信号の各サブキャリアに対する別個のＯＦＤＭシンボルストリームを備える。各サブキャリア上のシンボル、および基準信号は、基地局３１０によって送信された最も可能性の高い信号コンステレーションポイントを決定することによって復元および復調される。これらのソフト判定は、チャネルエスティメータ３５８によって計算されたチャネル推定値に基づき得る。ソフト判定はその後、物理チャネル上で基地局３１０によって当初送信されたデータおよび制御信号を復元するために、復号およびデインターリーブされる。データおよび制御信号は、その後コントローラ／プロセッサ３５９に提供される。
【００４０】
[0051]コントローラ／プロセッサ３５９は、Ｌ２レイヤを実装する。コントローラ／プロセッサは、プログラムコードおよびデータを記憶するメモリ３６０に関連付けられ得る。メモリ３６０は、コンピュータ可読媒体と称され得る。ＤＬにおいて、コントローラ／プロセッサ３５９は、コアネットワークからの上位レイヤパケットを復元するために、制御信号処理、ヘッダの解凍、暗号解読、パケットのリアセンブリ、トランスポートチャネルと論理チャネルとの間での逆多重化を提供する。上位レイヤパケットは、その後データシンク３６２に提供され、これは、Ｌ２レイヤより上位のすべてのプロトコルレイヤを表示する。様々な制御信号もまた、Ｌ３処理のために、データシンク３６２に提供され得る。コントローラ／プロセッサ３５９はまた、ＨＡＲＱ演算をサポートするために、肯定応答（ＡＣＫ）および／または否定応答（ＮＡＣＫ）プロトコルを使用した誤り検出を担う。加えて、ＵＥ３５０は、１つ以上のＵＥ３５０へのリソースの割り振りを容易にするために、少なくともメッセージの数、および／またはメッセージのサイズを示すＢＳＲを生成するように構成された通信コンポーネント４６１（例えば、図４参照）を含み得る。通信コンポーネント４６１は、コントローラ／プロセッサ３５９に結合されるように指し示されるが、本明細書において説明される動作を実行するために、通信コンポーネント４６１はまた、他のプロセッサ（例えば、ＲＸプロセッサ３５６、ＴＸプロセッサ３６８、等）に結合され、および／または１つ以上のプロセッサ３５６、３５９、３６８、によって実装されることができることが認識されるべきである。
【００４１】
[0052]ＵＬにおいて、コントローラ／プロセッサ３５９に上位レイヤパケットを提供するために、データソース３６７が使用される。データソース３６７は、Ｌ２レイヤより上位のすべてのプロトコルレイヤを表わす。基地局３１０によるＤＬ送信に関して説明された機能性と同様に、コントローラ／プロセッサ３５９は、基地局３１０による無線リソース割り振りに基づいたヘッダ圧縮、暗号化、パケットセグメンテーションおよび並べ替え、および論理チャネルとトランスポートチャネルとの間の多重化、を提供することによって、ユーザプレーンおよび制御プレーンのためのＬ２レイヤを実装する。コントローラ／プロセッサ３５９はまた、ＨＡＲＱ動作、損失パケットの再送信、および基地局３１０へのシグナリングを担う。
【００４２】
[0053]基地局３１０によって送信された基準信号またはフィードバックからチャネルエスティメータ３５８によって導出されたチャネル推定値は、適切な符号化および変調スキームを選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供される。各送信機３５４ＴＸは、送信のためのそれぞれの空間ストリームによってＲＦキャリアを変調する。
【００４３】
[0054]ＵＬ送信は、ＵＥ３５０において受信機機能に関連して説明されたのと同様の方法で、基地局３１０において処理される。各受信機３１８ＲＸは、そのそれぞれのアンテナ３２０を通して信号を受信する。各受信機３１８ＲＸは、ＲＦキャリア上で変調された情報を復元し、ＲＸプロセッサ３７０にその情報を提供する。ＲＸプロセッサ３７０は、Ｌ１レイヤを実装し得る。
【００４４】
[0055]コントローラ／プロセッサ３７５は、Ｌ２レイヤを実装する。コントローラ／プロセッサ３７５は、プログラムコードおよびデータを記憶するメモリ３７６に関係付けられ得る。メモリ３７６は、コンピュータ可読媒体と称され得る。ＵＬにおいて、コントローラ／プロセッサ３７５は、ＵＥ３５０からの上位レイヤパケットを復元するために、トランスポートチャネルと論理チャネルとの間の逆多重化、パケットのリアセンブリ、暗号解読、ヘッダ圧縮解除、制御信号処理を提供する。コントローラ／プロセッサ３７５からの上位レイヤパケットは、コアネットワークに提供され得る。コントローラ／プロセッサ３７５はまた、ＨＡＲＱ演算をサポートするために、ＡＣＫおよび／またはＮＡＣＫプロトコルを使用する誤り検出を担う。
【００４５】
[0056]図４−１１を参照すると、態様は、本明細書で説明される動作または機能を行い得る１つ以上のコンポーネントおよび１つ以上の方法を参照して描かれる。ある態様において、本明細書で説明される用語「コンポーネント」は、システムを構成する部分のうちの１つであり得、ハードウェアまたはソフトウェア、あるいはこれらのいくつかの組み合わせであり得、他のコンポーネントに分割され得る。以下の図６−１１において説明される動作は、特定の順序で、および／または例となるコンポーネントによって実行されるものとして提示されるが、これらの動作の順序およびこれらの動作を実行するコンポーネントは、実装に応じて変わり得ることが理解されるべきである。さらにまた、下記の動作または機能が、特別にプログラムされたプロセッサ、特別にプログラムされたソフトウェアを実行するプロセッサ、またはコンピュータ可読媒体によって、あるいは、説明される動作または機能を行うことができるハードウェアコンポーネントおよび／またはソフトウェアコンポーネントの任意の他の組み合わせで行われ得ることが理解されるべきである。
【００４６】
[0057]図４を参照すると、ある態様において、（ワイヤレス通信システムおよび図１のアクセスネットワーク１００と同じまたは同様である）ワイヤレス通信システム４００は、基地局１０５のような少なくとも１つのネットワークエンティティの通信カバレッジ中の少なくとも１つのＵＥ１１５を含む。基地局１０５（集合的に、発展型ユニバーサルモバイル電気通信システム（ＵＭＴＳ）地上無線アクセスネットワーク（Ｅ−ＵＴＲＡＮ）と称する）は、バックホールリンク１３２（例えば、Ｓ１インターフェース）を通して、（図１のコアネットワーク１３０のような）コアネットワークとインターフェースし得る。ある態様において、ＵＥ１１５は、代替的リソースプール情報信号を受信し、基地局１０５からの代替的リソースプール情報に少なくとも部分的に基づいて、制御リソースプールから制御リソースを選択するために、通信コンポーネント４６１と組み合わせて動作し得る、１つ以上のプロセッサ（示されていない）および、選択的に、メモリ（示されていない）を含み得る。同様に、ある態様において、基地局１０５は、制御およびデータのリソースを修正するために、ＵＥ１１５のような１つ以上のＵＥに送信される代替的リソースプール情報を確立するように、通信コンポーネント４６１と組み合わせて動作し得る１つ以上のプロセッサおよび、選択的に、メモリを含み得る。ＵＥ１１５および基地局１０５間のワイヤレス通信は、通信リンク１２５を介して、それぞれ基地局１０５またはＵＥ１１５のいずれかによって送信される信号を含み得る。例えば、ＵＥ１１５および基地局１０５間の通信に関連して、ワイヤレス通信は、基地局１０５によってＵＥ１１５に送信される１つ以上のダウンリンクチャネル１２５ａ、およびＵＥ１１５によって基地局１０５に送信される１つ以上のアップリンクチャネル１２５ｂを含み得る。ある態様において、例えば、基地局１０５は、ダウンリンクチャネル１２５ａを介して、第１の周波数部分４３４および第２の周波数部分４３６を含むように構成され得る１つ以上の代替的リソースプール情報信号４３２を送信し得る。
【００４７】
[0058]本開示に従えば、ＵＥ１１５は、メモリ４７０、１つ以上のプロセッサ４７２、およびトランシーバ４７４を含み得る。メモリ、１つ以上のプロセッサ４７２、およびトランシーバ４７４は、バス４７６を介して内部的に通信し得る。いくつかの例において、メモリ４７０および１つ以上のプロセッサ４７２は、同じハードウェアコンポーネントの一部であり得る（例えば、同じボード、モジュールまたは集積回路の一部であり得る）。代替的に、メモリ４７０および１つ以上のプロセッサ４７２は、互いに連動し得る別個のコンポーネントであり得る。いくつかの態様において、バス４７６は、ＵＥ１１５のコンポーネントおよびサブコンポーネント間でデータを転送する通信システムであり得る。いくつかの例において、１つ以上のプロセッサ４７２は、モデムプロセッサ、ベースバンドプロセッサ、デジタルシグナルプロセッサ、および／または送信プロセッサのうちの任意の１つまたはそれらの組み合せを含み得る。付加的に、または代替的に、１つ以上のプロセッサ４７２は、本明細書において説明された１つ以上の方法またはプロシージャを実行するための通信コンポーネント４６１を含み得る。トランシーバ４６１は、ハードウェア、ファームウェア、および／またはソフトウェアを備え得、およびメモリ（例えば、コンピュータ可読記憶媒体）に記憶されたコードを実施するまたは命令を実行するように構成され得る。
【００４８】
[0059]いくつかの例において、ＵＥ１１５は、１つ以上のプロセッサ４７２によって実施される、本明細書において使用されるデータおよび／またはアプリケーションのローカルバージョンまたは通信コンポーネント４６１、および／またはそれのサブコンポーネントのうちの１つ以上を記憶するようなメモリ４７０を含み得る。メモリ４７０は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合せのような、コンピュータまたはプロセッサ４７２によって使用可能な任意のタイプのコンピュータ可読媒体も含むことができる。１つの態様において、例えば、メモリ４７０は、コンピュータ実施可能なコードを記憶するコンピュータ可読記憶媒体（例えば、非一時的な媒体）であり得る。コンピュータ実施可能なコードは、通信コンポーネント４６１の、および／またはそれのサブコンポーネントのうちの１つ以上の、１つ以上の動作または機能、および／またはそれに関連するデータを定義し得る。コンピュータ実施可能なコードは、ＵＥ１１５が、アダプテーションコンポーネント３０および／またはそれのサブコンポーネントのうちの１つ以上を実行するようにプロセッサ４７２を動作させているとき、これらの１つ以上の動作または機能を定義し得る。いくつかの例において、ＵＥ１１５は、１つ以上のデータおよび制御信号を、基地局１０５へ送信するおよび／または基地局１０５から受信するためのトランシーバ４７４をさらに含み得る。トランシーバ４７４は、ハードウェア、ファームウェア、および／またはソフトウェアを備え得、およびメモリ（例えば、コンピュータ可読記憶媒体）に記憶されたコードを実施するまたは命令を実行するように構成され得る。トランシーバ４７４は、複数の無線、およびモデム４８０を備える無線４７８を含む複数のモデムを含む。無線４７８は、基地局１０５のような複数の基地局に信号を送信し、複数の基地局から信号を受信するための１つ以上のアンテナ４８２を利用し得る。
【００４９】
[0060]通信コンポーネント４６１は、送信のための制御リソースを選択するように構成され得る選択コンポーネント４１０を含み得る。例えば、ある態様において、通信コンポーネント４６１は、代替的リソースプール情報信号４３２を基地局１０５および／または通信コンポーネント４０２から受信し得る。選択コンポーネント４１０は、代替的リソースプール情報４３２に基づいて、第１の制御リソース４１４を制御リソースプール４１２の第１の周波数部分から選択し得る。さらに、選択コンポーネント４１０は、第１の制御リソース４１４に基づいて、第２の制御リソース４１６を制御リソースプールの第２の周波数部分４１２から選択するように構成され得る。例えば、図５Ａおよび図５Ｂを参照すると、代替的リソースプール情報信号４３２（図４）中で示されるリソースプール構成の概念図が例証される。図５Ａに関連して、代替的リソースプール５５５０は、待ち時間を減らすようにサブフレームがインターリーブされる代替的ＴＤＭ構成を例証する。ある態様において、例えば、代替的リソースプール５５５０は、各制御リソース５５５２間でインターリーブされたデータリソース５５５４に加えて、制御リソース５５５２が含まれ得る。ある事例において、３つのデータリソース５５５４サブフレームは、各制御リソース５５５２間でインターリーブされ得る。そのようであるので、ＵＥ１およびＵＥ２のような複数のＵＥは、代替的リソースプール５５５０構成を使用してお互いに通信し得る。例えば、ＵＥ１は、制御リソース５５５２上の制御情報５５５６、およびデータリソース５５５４上のデータ情報５６０と通信し得、ＵＥ２は、制御リソース５５５２上の制御情報５５５８、およびデータリソース５５５４上のデータ情報５６２と通信し得る。指し示されるように、制御データ５５５６および５５５８は、通信の信頼性を維持するために制御リソース５５５２内で２回再送信される。この通信の信頼性を維持するために、データ情報５６０および５６２は、制御情報５５５６および５５８の第２の事例が送信された後でのみ送信されるであろう。制御情報５５６および５５８の第２の事例が未だに送信されていないので、それゆえ、データリソース５５４の第１の事例は、データ送信を有しないように指し示される。さらにまた、制御情報５５６および５５８の第２の事例が一度送信されると、データリソース５５４の第２の事例におけるように、データ情報が開始され得る。付加的に、制御リソース５５２は、上部周波数部分および下部周波数部分を含む２つの部分に分割される。上部周波数部分は、負の周波数部分であり得、下部周波数部分は、正の周波数部分であり得る。ある例において、制御情報５５６および５５８の第１の送信は上部周波数部分において送信され得、一方、制御情報５５６および５５８の第２の送信は、下部周波数部分において送信され得る。
【００５０】
[0061]図５Ｂに関して、代替的リソースプール５７０は、制御およびデータのリソースが周波数に基づいて分割されるＦＤＭ構成を例証する。ある態様において、例えば、代替的リソースプール５７０は、各制御リソース間でインターリーブされたデータリソース５７４に加えて、上部制御リソース５７２および下部制御リソース５７５を含み得る。ある事例において、各リソースに提供される帯域幅は、構成可能または所定であり得る。そのようであるので、ＵＥ１およびＵＥ２のような複数のＵＥは、代替的リソースプール５７０構成を使用してお互いに通信し得る。例えば、ＵＥ１は、制御情報５７６を制御リソース５７２および５７５上で、データ情報５８０をデータリソース５７４上で通信し得、およびＵＥ２は制御情報５７８を制御リソース５７２および５７５上で、データ情報５８２をデータリソース５７４上で通信し得る。指し示されるように、制御データ５７６および５７８は、通信の信頼性を維持するために、制御リソース５７２および５７５内で２回再送信される。この通信の信頼性を維持するために、データ情報５８０および５８２は、制御情報５７６および５７８の第２の事例が送信された後でのみ送信されるであろう。それゆえ、一度制御情報５７６および５７８の第２の事例が送信されると、データ情報が送信され始め得る。付加的に、述べられたように、制御リソース５７２および５７５は、上部周波数部分５７２および下部周波数部分５７５を含む２つの部分に分割される。上部周波数部分は、負の周波数部分であり得、下部周波数部分は、正の周波数部分であり得る。ある例において、制御情報５７６および５７８の第１の送信は上部周波数部分５７２において送信され得、一方、制御情報５７６および５７８の第２の送信は、下部周波数部分５７５において送信され得る。
【００５１】
[0062]図４に戻ると、通信コンポーネント４６１は、第１の制御リソース４１４および第２の制御リソース４１６の両方を、それらそれぞれの選択に続いて、送信するように構成し得る。通信コンポーネント４６１は、１つ以上のデータリソース４１８を送信するようにさらに構成し得る。ある態様において、例えば、通信コンポーネント４６１は、第２の制御リソース４１６の送信後、１つ以上のデータリソース４１８を送信し得る。ある事例において、通信コンポーネント４６１は、第１の制御リソース４１４、第２の制御リソース４１６、および１つ以上のデータリソース４１８を、１つ以上のＵＥおよび／または基地局１０５のような１つ以上の基地局に送信し得る。
【００５２】
[0063]同様に、本開示に従えば、基地局１０５は、メモリ４４０、１つ以上のプロセッサ４４２、およびトランシーバ４４４を含み得る。メモリ、１つ以上のプロセッサ４４２、およびトランシーバ４４４は、バス４４６を介して内部的に通信し得る。いくつかの例において、メモリ４４０および１つ以上のプロセッサ４４２は、同じハードウェアコンポーネントの一部であり得る（例えば、同じボード、モジュールまたは集積回路の一部であり得る）。代替的に、メモリ４４０および１つ以上のプロセッサ４４２は、互いに連動し得る別個のコンポーネントであり得る。いくつかの態様において、バス４４６は、基地局１０５の複数のコンポーネントおよびサブコンポーネント間でデータを転送する通信システムであり得る。いくつかの態様において、１つ以上のプロセッサ４４２は、モデムプロセッサ、ベースバンドプロセッサ、デジタルシグナルプロセッサおよび／または送信プロセッサのうちの任意の１つまたはそれらの組み合せを含み得る。付加的に、または代替的に、１つ以上のプロセッサ４４２は、本明細書において説明された１つ以上の方法またはプロシージャを実行するための通信コンポーネント４０２を含み得る。通信コンポーネント４０２は、ハードウェア、ファームウェア、および／またはソフトウェアを備え得、およびメモリ（例えば、コンピュータ可読記憶媒体）に記憶されたコードを実施するまたは命令を実行するように構成され得る。
【００５３】
[0064]いくつかの態様において、基地局１０５は、１つ以上のプロセッサ４４２によって実施される、本明細書において使用されるデータおよび／またはアプリケーションのローカルバージョンまたは通信コンポーネント４０２および／またはそれのサブコンポーネントのうちの１つ以上を記憶するようなメモリ４４０を含み得る。メモリ４４０は、ランダムアクセスメモリ（ＲＡＭ）、読み取り専用メモリ（ＲＯＭ）、テープ、磁気ディスク、光ディスク、揮発性メモリ、不揮発性メモリ、およびそれらの任意の組み合せのような、コンピュータまたはプロセッサ４４２によって使用可能な如何なるタイプのコンピュータ可読媒体も含むことができる。ある態様において、例えば、メモリ４４０は、コンピュータ実施可能なコードを記憶するコンピュータ可読記憶媒体（例えば、非一時的な媒体）であり得る。コンピュータによって実施可能なコードは、通信コンポーネント４０２および／またはそれのサブコンポーネントのうちの１つ以上の、１つ以上の動作または機能、および／またはそれに関連するデータを定義し得る。コンピュータ実施可能なコードは、基地局１０５が、レートアダプテーションコンポーネント３０および／またはそれのサブコンポーネントのうちの１つ以上を実施するようにプロセッサ４４２を動作させているとき、これらの１つ以上の動作または機能を定義し得る。いくつかの例において、基地局１０５は、１つ以上のデータおよび制御信号を、ＵＥ１１５を介してＵＥへ送信する、および／またはＵＥから受信するためのトランシーバ４４４をさらに含み得る。トランシーバ４４４は、ハードウェア、ファームウェア、および／またはソフトウェアを備え得、およびメモリ（例えば、コンピュータ可読記憶媒体）に記憶されたコードを実施するまたは命令を実行するように構成され得る。トランシーバ４４４は、複数の無線、およびモデム４５０を備える無線４４８を含む複数のモデムを含み得る無線４７８は、ＵＥ１１５のような複数のＵＥに信号を送信し、複数のＵＥから信号を受信するための１つ以上のアンテナ４５２を利用し得る。
【００５４】
[0065]通信コンポーネント４０２は、代替的リソースプール情報信号４３２を確立するためのリソース確立コンポーネント４３０を含み得る１つ以上のコンポーネントを含み得る、またはさもなくば、１つ以上のコンポーネントに結合され得る、または、１つ以上のコンポーネントと通信し得る。例えば、ある態様において、代替的リソースプール情報信号４３２は、ワイヤレス通信の最中に、制御リソースおよびデータリソースを送信するためのリソースプールの構成に対応し得る。ある態様において、制御リソースは、２つの部分、第１の周波数部分４３４および第２の周波数部分４３６に分割され得、情報は、制御リソース（例えば、第１の制御リソース４１４および第２の制御リソース４１６）を送信するためのスキームを確立するために、代替的リソースプール情報信号４３２中に含められ得る。
【００５５】
[0066]図６および図７を参照すると、本願の装置および方法に従う、１つ以上の動作の例（図６および図７）、および／または通信コンポーネント４６１／４０２（図４）の態様のアーキテクチャレイアウトおよび機能とサブ機能（図４）の例が、１つ以上の方法およびこれらの方法の動作を実行し得る１つ以上の機能を参照して説明される。以下に説明される動作は、特定の順序で、および／または例となる機能によって実行されるものとして提示されるが、これらの動作の順序およびこれらの動作を実行する機能は、実装に応じて変わり得ることが理解されるべきである。また、通信コンポーネント４６１／４０２は、多数のサブコンポーネントを有するように例証されるが、例証されたサブ機能／コンポーネントのうちの１つ以上は、通信コンポーネント４０２と、および／または、互いに、通信していながらも分離され得ることは理解されるべきである。さらにまた、プロセッサ４７２／４４２、メモリ４７０／４４０、モデム４８０／４５０、および／または通信コンポーネント４６１／４０２および／またはそれのサブ機能／コンポーネントに関して説明される以下の動作または機能は、特別にプログラムされたプロセッサ、特別にプログラムされたソフトウェアまたはコンピュータ可読媒体を実施するプロセッサによって、あるいは、説明された動作または機能を実行するために特別に構成されたハードウェア機能および／またはソフトウェア機能の任意の他の組み合せによって、実行され得ることは、理解されるべきである。
【００５６】
[0067]ある態様において、図６中のブロック６０２で、方法６００は、ＵＥにおいて、代替的リソースプール情報信号をネットワークエンティティから受信し得、ここにおいて、代替的リソースプール情報信号は、ワイヤレス通信の最中に送信のために使用される、制御リソースプールとデータリソースプールとを有するリソースプールの構成に対応する。例えば、図４に関連して本明細書において説明されるように、ＵＥ１１５は、通信コンポーネント４６１が代替的リソースプール情報信号を基地局１０５から受信するように実施し得、ここにおいて、代替的リソースプール情報信号４３２は、ワイヤレス通信の最中に送信のために使用される、制御リソースプールとデータリソースプールとを有するリソースプールの構成に対応する。例えば、代替的リソースプール情報信号４３２は、ワイヤレス通信の最中に、制御リソースおよびデータリソースの送信のためのリソースプールの構成に対応する情報を含み得る。代替的リソースプール情報信号４３２は、制御リソースプールの構成に対応する情報を含み得る。例えば、制御リソースは、基地局１０５および／または通信コンポーネント４０２によって確立されるような２つの部分、すなわち第１の周波数部分４３４および第２の周波数部分４３６に分割され得る。さらにまた、ＵＥ１１５および基地局１０５は、ロングタームエボリューション−ダイレクト（ＬＴＥ−Ｄ）ネットワークにおいて動作し得る。
【００５７】
[0068]ブロック６０４で、方法６００は、ＵＥにおいて、代替的リソースプール情報に基づいて、第１の制御リソースを制御リソースプールの第１の周波数部分から選択し得る。例えば、図４に関連して本明細書において説明されるように、ＵＥ１１５および／または通信コンポーネント４６１は、代替的リソースプール情報４３２に基づいて、第１の制御リソース４１４を制御リソースプール４１２の第１の周波数部分４３４から選択するために選択コンポーネント４１０を実施し得る。例えば、ＵＥ１１５および／または通信コンポーネント４６１は、第１の制御リソース４１４が制御リソースプール４１２の上側半分の周波数で送信されるように、選択コンポーネント４１０が第１の制御リソース４１４を選択するように構成し得る。
【００５８】
[0069]さらに、ブロック６０６で、方法６００は、制御リソースプールの第１の周波数部分からの第１の制御リソースを送信し得る。例えば、図４に関連して本明細書において説明されるように、ＵＥ１１５は、通信コンポーネント４６１が、制御リソースプール４１２の第１の周波数部分４３４からの第１の制御リソース４１４を送信するように実施し得る。例えば、ＵＥ１１５および／または通信コンポーネント４６１は、制御送信が第１の制御リソース４１４または第２の制御リソース４１６であるかを、受信デバイスが識別できるようにするために、制御リソースプール４１２の上側半分の周波数上で第１の制御リソース４１４を送信し得る。
【００５９】
[0070]ブロック６０８で、方法６００は、ＵＥにおいて、第１の制御リソースに基づいて、第２の制御リソースを制御リソースプールの第２の周波数部分から選択し得る。例えば、図４に関連して本明細書において説明されるように、ＵＥ１１５および／または通信コンポーネント４６１は、選択コンポーネント４１０が、第１の制御リソース４１４に基づいて、第２の制御リソース４１６を制御リソースプール４１２の第２の周波数部分４３６から選択するように実施し得る。例えば、ＵＥ１１５および／または通信コンポーネント４６１は、第２の制御リソース４１６が制御リソースプール４１２の下側半分の周波数上で送信されるように、選択コンポーネント４１０が第２の制御リソース４１６を選択するように構成し得る。
【００６０】
[0071]ブロック６１０で、方法６００は、ＵＥにおいて、制御リソースプールの第２の周波数部分からの第２の制御リソースを送信し得る。例えば、図４に関連して本明細書において説明されるように、ＵＥ１１５は、通信コンポーネント４６１が制御リソースプール４１２の第２の周波数部分４３６からの第２の制御リソース４１６を送信するように実施し得る。例えば、ＵＥ１１５および／または通信コンポーネント４６１は、制御送信が第１の制御リソース４１４であるか、または第２の制御リソース４１６であるかを、受信デバイスが識別できるようにするために制御リソースプール４１２の下側半分の周波数上で第２の制御リソース４１６を送信し得る。制御送信が第２の制御リソース４１６であることを決定次第、受信デバイスは、データリソースを復号するように構成され得る。そのようであるので、ＵＥ１１５および／または通信コンポーネント４６１は、第２の制御リソースの送信後、１つ以上のデータリソースを送信し得る。付加的に、１つ以上のデータリソースを復号するための符号化情報が制御リソースプールから獲得され、ＵＥ１１５および／または通信コンポーネント４６１は、第２の制御リソースに基づいて、１つ以上のデータリソースのためのタイミングオフセットを計算し得る。さらにまた、ある態様において、制御リソースプールおよび１つ以上のデータリソースは、インターリーブされたサブフレームと時分割多重化される（ＴＤＭされた）か、または周波数分割多重化される（ＦＤＭされた）かのいずれかであり得る。
【００６１】
[0072]特別な態様の別の例において、図７に戻ると、ワイヤレス通信の方法７００は、リソースプールを管理することに関係し、ある態様において、ブロック７０２で、方法７００は、代替的リソースプール情報をネットワークエンティティから１つ以上のＵＥに送信し得ることを含む。例えば、図４に関連して本明細書において説明されるように、基地局１０５は、代替的リソースプール情報４３２を１つ以上のＵＥ（例えば、ＵＥ１１５）に送信するために、通信コンポーネント４０２を実施し得る。いくつかの態様において、代替的リソースプール情報は、ワイヤレス通信の最中に、制御リソースおよびデータリソースを送信するためのリソースプールの構成に対応する。例えば、ある例において、制御リソースは、上部周波数部分および下部周波数部分を含んでいる２つの部分に分割される。上部周波数部分は、負の周波数部分であり得、下部周波数部分は、正の周波数部分であり得る。さらにまた、リソースプール構成をシグナリングすることに関連して、リソースプールの構成は、リソースプール内の繰り返しビットマップ（例えば、制御１０００およびデータ０１１１）を使用してシグナリングされ得る。別の態様において、リソースプールの構成は、制御およびデータのオフセットのための複数の無線ベアラ（ＲＢ）を使用してシグナリングされ得る。例えば、構成は、｛０｝および｛ｍａｘ−ＲＢ｝の両方のＲＢオフセットに関連する制御およびデータのリソースのための｛ｓｔａｒｔＲＢ、ｎｕｍＲＢ｝を使用してシグナリングされ得る。ＬＴＥ−Ｄ通信について、制御およびデータのリソースは、ｅノードＢのようなネットワークエンティティによって割り振りされ得る。制御リソース割り振りのために物理ダウンリンク制御チャネル（ＰＤＣＣＨ）において示される制御時間リソースインデックスは、所定の数のサブフレーム後に生じる、次に利用可能な制御サブフレームであり得る。
【００６２】
[0073]ブロック７０４で、方法７００は、ネットワークエンティティにおいて、１つ以上の信号を１つ以上のＵＥから受信し得、ここにおいて、１つ以上の信号は、代替的リソースプール情報に基づいて修正された、制御リソースおよびデータリソースのうちの少なくとも１つまたは両方に対応する。例えば、図４に関連して本明細書において説明されるように、基地局１０５は、１つ以上の信号を１つ以上のＵＥ（例えば、ＵＥ１１５）から受信するために、通信コンポーネント４０２（図４）を実施し得、ここにおいて、１つ以上の信号は、代替的リソースプール情報４３２に基づいて修正された制御リソース（例えば、第１の制御リソース４１４および／または第２の制御リソース４１６）と、データリソース４１８とのうちの少なくとも１つまたは両方に対応する。例えば、ある例において、制御リソースおよびデータリソースは、インターリーブされたサブフレームと時分割多重化される（ＴＤＭされる）か、または周波数分割多重化される（ＦＤＭされる）かのいずれかであり得る。さらにまた、１つ以上のＵＥおよびネットワークエンティティは、ロングタームエボリューション−ダイレクト（ＬＴＥ−Ｄ）ネットワークにおいて動作し得る。
【００６３】
[0074]図８は、通信コンポーネント４０２と同じまたは同様であり得る通信コンポーネント８２０を含む、例示的な装置８０２における異なる手段／コンポーネント間のデータフローを例証する概念的データフロー図８００である。装置８０２は、図１および図４の基地局１０５を含み得る基地局であり得る。装置８０２は、ある態様において、制御およびデータのリソースを修正するために、ＵＥ１１５（図１）のような１つ以上のＵＥに送信される代替的リソースプール情報を確立する通信コンポーネント８２０を含む。装置８０２は、代替的リソースプール情報信号をＵＥ１１５のような１つ以上のＵＥに送信する送信コンポーネント８１２をさらに含み、ここにおいて、代替的リソースプール情報信号は、ワイヤレス通信の最中に、制御リソースおよびデータリソースを送信するためのリソースプールの構成に対応する。さらに、装置８０２は、１つ以上の信号を１つ以上のＵＥのうちの少なくとも１つから受信する受信コンポーネント８０４含み、ここにおいて、１つ以上の信号は、代替的リソースプール情報信号に基づいて修正された、制御リソースおよびデータリソースのうちの１つまたは両方に対応する。
【００６４】
[0075]装置は、前述された図８のフローチャートにおけるアルゴリズムのブロックの各々を実行する追加のコンポーネントを含み得る。そのようであるので、前述された図８のフローチャートにおける各ブロックは、コンポーネントによって実行され得、装置は、それらのコンポーネントのうちの１つ以上を含み得る。コンポーネントは、特に、記載されたプロセス／アルゴリズムを行うように構成された１つ以上のハードウェアコンポーネントであるか、記載されたプロセス／アルゴリズムを実行するように構成されたプロセッサによって実装されるか、プロセッサによる実装のためにコンピュータ可読媒体内に記憶されるか、またはそれらの何らかの組み合わせであり得る。
【００６５】
[0076]図９は、通信コンポーネント４０２（図４）と同じまたは同様であり得る通信コンポーネント８２０（図８）を含む、処理システム９１４を採用する装置８０２’に対するハードウェア実装の例を例証する図９００である。処理システム９１４は、バス９２４によって一般的に表示されるバスアーキテクチャで実装され得る。バス９２４は、処理システム９１４の特定の用途と全体的な設計の制約に依存して、任意の数の相互接続バスおよびブリッジを含み得る。バス９２４は、プロセッサ４４２（図４）と同じまたは同様のプロセッサ９０４によって表示された１つ以上のプロセッサ、および／またはハードウェアコンポーネント、コンポーネント８０４、８１２、および８２０、およびメモリ４７０（図４）と同じまたは同様のコンピュータ可読媒体／メモリ９０６を含む様々な回路を一緒にリンクする。バス９２４はまた、タイミングソース、周辺機器、電圧レギュレータ、および電力管理回路のような様々な他の回路をリンクさせ得るが、これらは、当該技術でよく知られているので、これ以上説明しない。
【００６６】
[0077］処理システム９１４は、トランシーバ９１０に結合され得る。トランシーバ９１０は、１つ以上のアンテナ９２０に結合される。トランシーバ９１０は、送信媒体を通して他の様々な装置と通信するための手段を提供する。トランシーバ９１０は、１つ以上のアンテナ９２０から信号を受信し、受信された信号から情報を抽出し、処理システム９１４、具体的には受信コンポーネント８０４に抽出された情報を提供する。加えて、トランシーバ９１０は、処理システム９１４、具体的には送信コンポーネント９８から情報を受信し、受信された情報に基づいて、１つ以上のアンテナ９２０に適用されるべき信号を生成する。処理システム９１４は、コンピュータ可読媒体／メモリ９０６に結合されたプロセッサ９０４を含む。プロセッサ９０４は、コンピュータ可読媒体／メモリ９０６上に記憶されたソフトウェアの実施を含む、一般の処理を担う。ソフトウェアは、プロセッサ９０４によって実行されると、処理システム９１４に、任意の特定の装置に関して後に説明される様々な機能を実行させる。コンピュータ可読媒体／メモリ９０６はまた、ソフトウェアを実施するとき、プロセッサ９０４によって操作されるデータを記憶するために使用され得る。処理システム９１４はさらに、コンポーネント８０４、８１２および８２０のうちの少なくとも１つを含む。コンポーネントは、プロセッサ９０４中で実行中であり、コンピュータ可読媒体／メモリ９０６中に存在する／記憶されたソフトウェアコンポーネントであるか、プロセッサ９０４に結合された１つ以上のハードウェアコンポーネントであるか、またはそれらの何らかの組み合わせであり得る。
【００６７】
[0078]１つの構成において、ワイヤレス通信のための装置９０２／８０２’は、制御およびデータのリソースを修正するために、ＵＥ１１５（図１）のような１つ以上のＵＥに送信される代替的リソースプール情報を確立するための手段を含む。装置は、代替的リソースプール情報信号を、１つ以上のＵＥに送信するための手段を含み、ここにおいて、代替的リソースプール情報信号は、ワイヤレス通信の最中に、制御リソースおよびデータリソースを送信するためのリソースプールの構成に対応する。さらに、別の構成において、ワイヤレス通信のための装置９０２／８０２’は、１つ以上の信号を１つ以上のＵＥのうちの少なくとも１つから受信するための手段を含み、ここにおいて、１つ以上の信号は、代替的リソースプール情報信号に基づいて修正された、制御リソースおよびデータリソースの１つまたは両方に対応する。
【００６８】
[0079]前述された手段は、前述された手段によって記載された機能を実行されるように構成された装置９０２の前述されたコンポーネント、および／または、装置８０２’の処理システム９１４のうちの１つ以上であり得る。先に述べたように、処理システム９１４は、ＴＸプロセッサ３１６と、ＲＸプロセッサ３７０と、コントローラ／プロセッサ３７５とを含み得る。そのようであるので、１つの構成において、前述した手段は、前述した手段によって記載された機能を実行するように構成されたＴＸプロセッサ３１６、ＲＸプロセッサ３７０、およびコントローラ／プロセッサ３７５であり得る。
【００６９】
[0080]図１０は、通信コンポーネント４６１と同じまたは同様であり得る通信コンポーネント１０２０を含む例示的な装置１００２における、異なる手段／コンポーネント間のデータフローを例証する概念的データフロー図１０００である。装置１００２は、図１および図４のＵＥ１１５を含み得るＵＥであり得る。装置１００２は、ある態様において、代替的リソースプール情報信号を基地局１０５のようなネットワークエンティティから受信する受信コンポーネント１００４を含み、ここにおいて、代替的リソースプール情報信号は、ワイヤレス通信の最中に送信のために使用される、制御リソースプールとデータリソースプールとを有するリソースプールの構成に対応する。装置１００２は、代替的リソースプール情報信号に基づいて、第１の制御リソースを制御リソースプールの第１の周波数部分から選択する通信コンポーネント１０２０を含む。ある態様において、装置１００２は、制御リソースプールの第１の周波数部分からの第１の制御リソースを送信する送信コンポーネント１０１２をさらに含む。別の態様において、通信コンポーネント１０２０は、第１の制御リソースに基づいて、第２の制御リソースを制御リソースプールの第２の周波数部分から選択する。別の態様において、送信コンポーネント１０１２は、制御リソースプールの第２の周波数部分からの第２の制御リソースを送信する。
【００７０】
[0081]装置は、前述された図１０のフローチャートにおけるアルゴリズムのブロックの各々を実行する追加のコンポーネントを含み得る。そのようであるので、前述された図１０のフローチャートにおける各ブロックは、コンポーネントによって実行され、装置は、それらのコンポーネントのうちの１つ以上を含み得る。コンポーネントは、特に、記載されたプロセス／アルゴリズムを行うように構成された１つ以上のハードウェアコンポーネントであるか、記載されたプロセス／アルゴリズムを実行するように構成されたプロセッサによって実装されるか、プロセッサによる実装のためにコンピュータ可読媒体内に記憶されるか、またはそれらの何らかの組み合わせであり得る。
【００７１】
[0082]図１１は、通信コンポーネント４６１（図４）と同じまたは同様であり得る通信コンポーネント１０２０（図１０）を含む、処理システム１１１４を採用する装置１００２’に対するハードウェア実装の例を例証する図１１００である。処理システム１１１４は、バス１１２４によって一般的に表示されるバスアーキテクチャで実装され得る。バス１１２４は、処理システム１１１４の特定の用途と全体的な設計の制約に依存して、任意の数の相互接続バスおよびブリッジを含み得る。バス１１２４は、プロセッサ４７２（図４）と同じまたは同様のプロセッサ１１０４によって表示された１つ以上のプロセッサ、および／またはハードウェアコンポーネント、コンポーネント１００４、１０１０、および１０１２、およびメモリ４７０（図４）と同じまたは同様のコンピュータ可読媒体／メモリ１１０６を含む様々な回路を一緒にリンクする。バス１１２４はまた、タイミングソース、周辺機器、電圧レギュレータ、および電力管理回路のような様々な他の回路をリンクさせ得るが、これらは、当該技術でよく知られているので、これ以上説明しない。
【００７２】
[0083］処理システム１１１４は、トランシーバ１１１０に結合され得る。トランシーバ１１１０は、１つ以上のアンテナ１１２０に結合される。トランシーバ１１１０は、送信媒体を通して他の様々な装置と通信するための手段を提供する。トランシーバ１１１０は、１つ以上のアンテナ１１２０から信号を受信し、受信された信号から情報を抽出し、処理システム１１１４、具体的には受信コンポーネント１００４に抽出された情報を提供する。加えて、トランシーバ１１１０は、処理システム１１１４、具体的には送信コンポーネント１１１２から情報を受信し、受信された情報に基づいて、１つ以上のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６上に記憶されたソフトウェアの実施を含む、一般の処理を担う。このソフトウェアは、プロセッサ１１０４によって実施されるとき、処理システム１１１４に、任意の特定の装置に関して後に説明される様々な機能を実行させる。コンピュータ可読媒体／メモリ１１０６はまた、ソフトウェアを実施するとき、プロセッサ１１０４によって操作されるデータを記憶するために使用され得る。処理システム１１１４は、コンポーネント１００４、１０１０および１０１２のうちの少なくとも１つをさらに含む。コンポーネントは、プロセッサ１１０４中で実行中であり、コンピュータ可読媒体／メモリ１１０６中に存在する／記憶されたソフトウェアコンポーネントであるか、プロセッサ１１０４に結合された１つ以上のハードウェアコンポーネントであるか、またはそれらの何らかの組み合わせであり得る。
【００７３】
[0084]１つの構成において、ワイヤレス通信のための装置１１０２／１００２’は、ＵＥにおいて、代替的リソースプール情報信号をネットワークエンティティから受信するための手段を含み、ここにおいて、代替的リソースプール情報信号は、ワイヤレス通信の最中に送信のために使用される、制御リソースプールとデータリソースプールとを有するリソースプールの構成に対応する。装置は、ＵＥにおいて、代替的リソースプール情報信号に基づいて、第１の制御リソースを制御リソースプールの第１の周波数部分から送信するための手段を含む。さらに、別の構成において、ワイヤレス通信のための装置１１０２／１００２’は、ＵＥにおいて、制御リソースプールの第１の周波数部分からの第１の制御リソースを選択するための手段を含む。装置は、ＵＥにおいて、第１の制御リソースに基づいて、第２の制御リソースを制御リソースプールの第２の周波数部分から選択するための手段を含む。装置は、ＵＥにおいて、制御リソースプールの第２の周波数部分からの第２の制御リソースを送信するための手段を含む。
【００７４】
[0085]前述された手段は、前述された手段によって記載された機能を実行するように構成された装置１１０２の前述されたコンポーネント、および／または、装置１００２’の処理システム１１１４のうちの１つ以上であり得る。先に述べたように、処理システム１１１４は、ＴＸプロセッサ３６８と、ＲＸプロセッサ３５６と、コントローラ／プロセッサ３５９とを含み得る。そのようであるので、１つの構成において、前述した手段は、前述した手段によって記載された機能を実行するように構成されたＴＸプロセッサ３６８、ＲＸプロセッサ３５６、およびコントローラ／プロセッサ３５９であり得る。
【００７５】
[0086］開示されたプロセスにおけるステップの特定の順序または階層は、例示的なアプローチの例証であるということが理解される。設計の優先性に基づいて、これらのプロセスにおけるステップの特定の順序または階層は並べ替えられ得るということが理解される。さらに、いくつかのステップは、組み合わされ得るか、または省略され得る。付随の方法の特許請求の範囲は、サンプルの順序において、様々なステップの要素を示し、また、提示された具体的な順序または階層に限定されるようには意図されていない。
【００７６】
[0087］先の説明は、当業者に、本明細書に説明された様々な態様の実現を可能にさせるために提供されている。これらの態様への様々な変更は、当業者には容易に明らかになり、本明細書で定義される包括的な本質は他の態様に適用され得る。よって、請求項は本明細書で表示される態様に限定されることは意図されておらず、しかし特許請求の範囲の用語と一貫する全ての範囲が与えられるべきであり、ここにおいて単数形の要素への参照は特別にそのように述べられない限り「１つおよびただ１つ」を意味するように意図されず、むしろ「１つ以上の」を意味するように意図される。そうでないことが特に述べられていない限り、「いくつかの」という用語は、１つ以上のことを指している。当業者に対して既知である、あるいは後に既知となる本開示において説明された様々な態様の要素に対する全ての構造的および機能的な均等物は、参照によって本明細書に明確に組み込まれ、特許請求の範囲によって包含されるよう意図される。さらに、本明細書において開示されたものが、特許請求の範囲中に明示的に列挙されているか否かにかかわらず、公共に捧げられることを意図していない。どの特許請求項の範囲の要素も、要素が明確に「のための手段」というフレーズを使用して記載されていない限り、手段プラス機能（means plus function）として解釈されるべきではない。
【図１】
2018519744.tif 000003
【図２】
2018519744.tif 000004
【図３】
2018519744.tif 000005
【図４】
2018519744.tif 000006
【図５Ａ】
2018519744.tif 000007
【図５Ｂ】
2018519744.tif 000008
【図６】
2018519744.tif 000009
【図７】
2018519744.tif 000010
【図８】
2018519744.tif 000011
【図９】
2018519744.tif 000012
【図１０】
2018519744.tif 000013
【図１１】
2018519744.tif 000014
【国際調査報告】
2018519744.tif 000015
2018519744.tif 000016
2018519744.tif 000017
2018519744.tif 000018
2018519744.tif 000019
2018519744.tif 000020